(57)【要約】      （修正有）【課題】詰襟学生服において、フックを無くし、第１ボタンの位置を下げれば、首の締め付け感が少なくなり、着て楽な感覚を得ることができるが、一方で学生服が体に比較して大きめである場合には、学生服の重みで襟部が下に引きずられて、詰襟部の前中央両端部の上部が内側方向へ接近して詰襟の先端部分が「ハ」の字上になって見た目にだらしなく見えてしまう場合がある。そこで、ホック無しでも詰襟が見苦しいほど開口しないようにする。【解決手段】詰襟部の心材に形状記憶金属を用いて、心材と形状記憶金属によって詰襟の形状を一定に保つ。【選択図】図２
0003138126.tif 000002
【実用新案登録請求の範囲】
【請求項１】
詰襟の表地と裏地との間には、端部付近からもう一方の端部部付近まで形状記憶金属を配し、詰襟の両端部を少なくとも５ｍｍ以上の間隔をあけて対峙させ、第１ボタンとこれを挿通するボタン穴の位置を、襟付け止まりから少なくとも２５ｍｍ以上、好ましくは３５ｍｍ前後下の位置に設けていることを特徴とするフック無し詰襟学生服
【請求項２】
詰襟部の裏地と表地との間の心材に布を袋縫いによって縫着し、この袋縫いに形状記憶金属線が収納されている請求項１に記載するフック無し詰襟学生服
【請求項３】
第五ボタンの位置がサイドポケット入口と同じ高さにあることを特徴とする請求項１乃至請求項３のいずれかに記載のフック無し詰襟学生服
【考案の詳細な説明】
【技術分野】
【０００１】
本考案は、首の部分が締め付けられることもなく楽に着られ、しかも詰襟部前両端部にフック無しであっても、常に詰襟が立っていて見苦しくない学生服に関するものである。
【背景技術】
【０００２】
現在の学生服では、詰襟部にカラーを取付けることはせず、詰襟の上端部に白い布を逢着してカラーのように見せているのが一般的である。
この場合、詰襟部先端のフックを係止することをしないと、襟が開口してだらしなく見苦しくみえてしまう。しかしフックをするとどうしても首が締め付けられる感覚が残り、フックを外したり、さらに第一ボタンを外すこともあり、より服装の乱れと見られることとなる。
【０００３】
そこで、詰襟部の前中央両端縁のフックを取り外して両端部を少なくとも５ｍｍ以上の間隔を開けて対峙させ、さらに第１ボタンは通常では襟付け止まりから約２０ｍｍ以内に取り付けられていたのを、これを２５ｍｍ以上、好ましくは３５ｍｍ前後でまで下げて取り付けることが提案されている。（実用新案登録第３１１７６６１号）
【考案の開示】
【考案が解決しようとする課題】
【０００４】
しかしながら、フックを無くし、第１ボタンの位置を下げれば、首の締め付け感が少なくなり、学生服を着て楽な感覚を得ることができるが、一方で学生服が体に比較して大きめである場合には、学生服の重みで詰襟部が下に引きずられて、詰襟部の前中央両端部の上部が内側方向へ接近して詰襟の先端部分が「ハ」の字上になって見た目にだらしなく見えてしまう場合がある。
【課題を解決するための手段】
【０００５】
そこで、本考案者は、かかる課題を解決する為に鋭意研究したところ、詰襟部の形状を一定に保つことによって、ホック無しでも詰襟が見苦しくない状態に保つことができることを見出し、本考案の学生服を提供することができた。
【０００６】
すなわち、本考案の第１は、詰襟の表地と裏地との間には、端部付近からもう一方の端部付近まで形状記憶金属を配し、詰襟の両端部を少なくとも５ｍｍ以上の間隔をあけて対峙させ、第１ボタンとこれを挿通するボタン穴の位置を、襟付け止まりから少なくとも２５ｍｍ以上、好ましくは３５ｍｍ前後下の位置に設けていることを特徴とするフック無し詰襟学生服である。
【０００７】
本考案の第２は、詰襟部の裏地と表地との間の心材に布を袋縫いによって縫着し、この袋縫いに形状記憶金属線が収納されている本考案の第１に記載するフック無し詰襟学生服である。
【０００８】
本考案の第３は、第五ボタンの位置がサイドポケット入口と同じ高さにあることを特徴とする本考案の第１又は本考案の第２のいずれかに記載のフック無し詰襟学生服である。
【考案の効果】
【０００９】
これによって、首の部分が締め付けられることなく、詰襟部はいつも一定の形状に保つことができる。
【考案を実施するための最良の形態】
【００１０】
詰襟の裏地と表地の間の心材に、薄布を用いて心材の両端付近までの２つの袋縫をし、そこに厚さ０．７ｍｍ以下の形状記憶金属の細板をそれぞれ２本収納して詰襟を保型し、詰襟の両端部を少なくとも５ｍｍ以上の間隔をあけて対峙させ、第１ボタンとこれを挿通するボタン穴の位置を、襟付け止まりから少なくとも２５ｍｍ以上、好ましくは３５ｍｍ前後下の位置に設けていることを特徴とするフック無し詰襟学生服である。
【実施例１】
【００１１】
以下、添付図面に従って一実施例を説明する。図１は、本考案の学生服を示す全体図である。詰襟部１の両端の間隔６は５ｍｍ以上であり、第１ボタン３は襟付け止まり３５ｍｍ前後下の位置に設けられている。また第５ボタン４はサイドポケット５の入り口と同じ高さに設けられている。
【００１２】
図２は、詰襟部１を開いた状態で詰襟部１を中心として学生服を一部拡大した図である。
詰襟部１は、内側（首に接する側）のフェルト地と表面（外）側の布地との間に心材部７があり、心材部７には図５に示す形状の２本の形状記憶金属の細板８、８が装着されて、これによって詰襟部１を首周りに沿った円形状に保型している。
【００１３】
心材部７は、詰襟部を保型するために、円形状に保たれているものであるが、図３では、心材部７の構造を分かり易くするために、心材部７を平たく引き延ばした状態の正面図として表しており、図４は図３の心材部７のＡ−Ａにおける横断面図である。
心材７ａは、圧縮繊維製の長方形状板であり首周りに沿って円形に形成されており、これに円形状に形成された形状記憶金属８、８が加わって、詰襟部を保型する。
【００１４】
心材７ａには薄布７ｂをあて、心材７ａの周囲を縫い付け７ｃ、その内側に２つ袋縫い部７ｄ、７ｄによって、薄布７ｂを心材７ａに縫い付けている。
袋縫い７ｄ、７ｄは、一方で開口しており、そこから形状記憶金属線８、８を挿入して収納するようにする。
なお、図３の心材部では、向かって左側で薄布７ｂを一部切除した状態で表されている。
【００１５】
この形状記憶金属線８、８は、厚さが０．７ｍｍ以下の板状であることが望ましい。厚さを０．７ｍｍ以下としたのは、製品ができあがった場合に服に針がのこっていないか金属探知器で検針をするが、通常の検針では形状記憶金属を０．７ｍｍ以下とすれば、金属探知器には反応せず、余計な手間が省けるからである。
なお、別途の方法によれば、形状記憶金属が０．７ｍｍ以上でも金属探知器に反応せずに検針をすることも可能であるので、形状記憶金属の厚さは特に制限はない。
形状記憶金属の厚さも制限されることはないし、板状でなくともワイヤー状の径が円形でもその他の形状でも可能である。
【００１６】
形状記憶金属８は２本が最適であるが、１本でも３本以上でも可能である。
【００１７】
形状記憶金属８に代えて、詰襟に沿って図５で表されたのと同型の円形に成型されたプラスチック材（図示せず）を用いることもできる。
【００１８】
形状記憶金属８やプラスチック材は、薄布７ｂで袋縫い部７ｃを作ってそこに収納することをせずに、心材７ａに直接接着をすることも可能である。
また、心材７のみならず、表地と裏地との間であれば、心材７ではなくて、表地若しくは裏地のいずれか、またはその他の部材に縫い付けたり、他の方法で装着することでも良い。
【図面の簡単な説明】
【００１９】
【図１】本考案の詰襟学生服の全体を示す正面図である。
【図２】本考案の詰襟学生服の詰襟部を開いた学生服の部分拡大図である。
【図３】心材部を引き延ばした状態の正面図である。
【図４】心材部のＡ−Ａにおける断面図である。
【図５】形状記憶金属の斜視図である。
【符号の説明】
【００２０】
１・・・・・詰襟部
２・・・・・襟付け止まり
３・・・・・第１ボタン
４・・・・・第５ボタン
５・・・・・サイドポケット
６・・・・・詰襟の両端の間隔
７・・・・・心材部
７ａ・・・・心材
７ｂ・・・・薄布
７ｃ・・・・縫い付け部分
７ｄ・・・・袋縫い部
８・・・・・形状記憶金属
【図１】
0003138126.tif 000003
【図２】
0003138126.tif 000004
【図３】
0003138126.tif 000005
【図４】
0003138126.tif 000006
【図５】
0003138126.tif 000007
【手続補正書】
【提出日】平成19年10月17日(2007.10.17)
【手続補正１】
【補正対象書類名】実用新案登録請求の範囲
【補正対象項目名】全文
【補正方法】変更
【補正の内容】
【実用新案登録請求の範囲】
【請求項１】
詰襟の表地と裏地との間には、端部付近からもう一方の端部部付近まで形状記憶金属を配し、詰襟の両端部を少なくとも５ｍｍ以上の間隔をあけて対峙させ、第１ボタンとこれを挿通するボタン穴の位置を、襟付け止まりから少なくとも２５ｍｍ以上、好ましくは３５ｍｍ前後下の位置に設けていることを特徴とするフック無し詰襟学生服
【請求項２】
詰襟部の裏地と表地との間の芯材に布を袋縫いによって縫着し、この袋縫いに形状記憶金属線が収納されている請求項１に記載するフック無し詰襟学生服
【請求項３】
第五ボタンの位置がサイドポケット入口と同じ高さにあることを特徴とする請求項１乃至請求項３のいずれかに記載のフック無し詰襟学生服
【手続補正２】
【補正対象書類名】明細書
【補正対象項目名】全文
【補正方法】変更
【補正の内容】
【考案の詳細な説明】
【技術分野】
【０００１】
本考案は、首の部分が締め付けられることもなく楽に着られ、しかも詰襟部前両端部にフック無しであっても、常に詰襟が立っていて見苦しくない学生服に関するものである。
【背景技術】
【０００２】
現在の学生服では、詰襟部にカラーを取付けることはせず、詰襟の上端部に白い布を逢着してカラーのように見せているのが一般的である。
この場合、詰襟部先端のフックを係止することをしないと、襟が開口してだらしなく見苦しくみえてしまう。しかしフックをするとどうしても首が締め付けられる感覚が残り、フックを外したり、さらに第一ボタンを外すこともあり、より服装の乱れと見られることとなる。
【０００３】
そこで、詰襟部の前中央両端縁のフックを取り外して両端部を少なくとも５ｍｍ以上の間隔を開けて対峙させ、さらに第１ボタンは通常では襟付け止まりから約２０ｍｍ以内に取り付けられていたのを、これを２５ｍｍ以上、好ましくは３５ｍｍ前後でまで下げて取り付けることが提案されている。（実用新案登録第３１１７６６１号）
【考案の開示】
【考案が解決しようとする課題】
【０００４】
しかしながら、フックを無くし、第１ボタンの位置を下げれば、首の締め付け感が少なくなり、学生服を着て楽な感覚を得ることができるが、一方で学生服が体に比較して大きめである場合には、学生服の重みで詰襟部が下に引きずられて、詰襟部の前中央両端部の上部が内側方向へ接近して詰襟の先端部分が「ハ」の字上になって見た目にだらしなく見えてしまう場合がある。
【課題を解決するための手段】
【０００５】
そこで、本考案者は、かかる課題を解決する為に鋭意研究したところ、詰襟部の形状を一定に保つことによって、ホック無しでも詰襟が見苦しくない状態に保つことができることを見出し、本考案の学生服を提供することができた。
【０００６】
すなわち、本考案の第１は、詰襟の表地と裏地との間には、端部付近からもう一方の端部付近まで形状記憶金属を配し、詰襟の両端部を少なくとも５ｍｍ以上の間隔をあけて対峙させ、第１ボタンとこれを挿通するボタン穴の位置を、襟付け止まりから少なくとも２５ｍｍ以上、好ましくは３５ｍｍ前後下の位置に設けていることを特徴とするフック無し詰襟学生服である。
【０００７】
本考案の第２は、詰襟部の裏地と表地との間の芯材に布を袋縫いによって縫着し、この袋縫いに形状記憶金属線が収納されている本考案の第１に記載するフック無し詰襟学生服である。
【０００８】
本考案の第３は、第五ボタンの位置がサイドポケット入口と同じ高さにあることを特徴とする本考案の第１又は本考案の第２のいずれかに記載のフック無し詰襟学生服である。
【考案の効果】
【０００９】
これによって、首の部分が締め付けられることなく、詰襟部はいつも一定の形状に保つことができる。
【考案を実施するための最良の形態】
【００１０】
詰襟の裏地と表地の間の芯材に、薄布を用いて芯材の両端付近までの２つの袋縫をし、そこに厚さ０．７ｍｍ以下の形状記憶金属の細板をそれぞれ２本収納して詰襟を保型し、詰襟の両端部を少なくとも５ｍｍ以上の間隔をあけて対峙させ、第１ボタンとこれを挿通するボタン穴の位置を、襟付け止まりから少なくとも２５ｍｍ以上、好ましくは３５ｍｍ前後下の位置に設けていることを特徴とするフック無し詰襟学生服である。
【実施例１】
【００１１】
以下、添付図面に従って一実施例を説明する。図１は、本考案の学生服を示す全体図である。詰襟部１の両端の間隔６は５ｍｍ以上であり、第１ボタン３は襟付け止まり３５ｍｍ前後下の位置に設けられている。また第５ボタン４はサイドポケット５の入り口と同じ高さに設けられている。
【００１２】
図２は、詰襟部１を開いた状態で詰襟部１を中心として学生服を一部拡大した図である。
詰襟部１は、内側（首に接する側）のフェルト地と表面（外）側の布地との間に芯材部７があり、芯材部７には図５に示す形状の２本の形状記憶金属の細板８、８が装着されて、これによって詰襟部１を首周りに沿った円形状に保型している。
【００１３】
芯材部７は、詰襟部を保型するために、円形状に保たれているものであるが、図３では、芯材部７の構造を分かり易くするために、芯材部７を平たく引き延ばした状態の正面図として表しており、図４は図３の芯材部７のＡ−Ａにおける横断面図である。
芯材７ａは、圧縮繊維製の長方形状板であり首周りに沿って円形に形成されており、これに円形状に形成された形状記憶金属８、８が加わって、詰襟部を保型する。
【００１４】
芯材７ａには薄布７ｂをあて、芯材７ａの周囲を縫い付け７ｃ、その内側に２つ袋縫い部７ｄ、７ｄによって、薄布７ｂを芯材７ａに縫い付けている。
袋縫い７ｄ、７ｄは、一方で開口しており、そこから形状記憶金属線８、８を挿入して収納するようにする。
なお、図３の芯材部では、向かって左側で薄布７ｂを一部切除した状態で表されている。
【００１５】
この形状記憶金属線８、８は、厚さが０．７ｍｍ以下の板状であることが望ましい。厚さを０．７ｍｍ以下としたのは、製品ができあがった場合に服に針がのこっていないか金属探知器で検針をするが、通常の検針では形状記憶金属を０．７ｍｍ以下とすれば、金属探知器には反応せず、余計な手間が省けるからである。
なお、別途の方法によれば、形状記憶金属が０．７ｍｍ以上でも金属探知器に反応せずに検針をすることも可能であるので、形状記憶金属の厚さは特に制限はない。
形状記憶金属の厚さも制限されることはないし、板状でなくともワイヤー状の径が円形でもその他の形状でも可能である。
【００１６】
形状記憶金属８は２本が最適であるが、１本でも３本以上でも可能である。
【００１７】
形状記憶金属８に代えて、詰襟に沿って図５で表されたのと同型の円形に成型されたプラスチック材（図示せず）を用いることもできる。
【００１８】
形状記憶金属８やプラスチック材は、薄布７ｂで袋縫い部７ｃを作ってそこに収納することをせずに、芯材７ａに直接接着をすることも可能である。
また、芯材７のみならず、表地と裏地との間であれば、芯材７ではなくて、表地若しくは裏地のいずれか、またはその他の部材に縫い付けたり、他の方法で装着することでも良い。
【図面の簡単な説明】
【００１９】
【図１】本考案の詰襟学生服の全体を示す正面図である。
【図２】本考案の詰襟学生服の詰襟部を開いた学生服の部分拡大図である。
【図３】芯材部を引き延ばした状態の正面図である。
【図４】芯材部のＡ−Ａにおける断面図である。
【図５】形状記憶金属の斜視図である。
【符号の説明】
【００２０】
１・・・・・詰襟部
２・・・・・襟付け止まり
３・・・・・第１ボタン
４・・・・・第５ボタン
５・・・・・サイドポケット
６・・・・・詰襟の両端の間隔
７・・・・・芯材部
７ａ・・・・芯材
７ｂ・・・・薄布
７ｃ・・・・縫い付け部分
７ｄ・・・・袋縫い部
８・・・・・形状記憶金属